(57)【要約】【課題】カバーの開閉状態を判定でき、かつ、カバーを閉じた状態で、座標検出精度を低下させずにカバーの開口部からタッチ操作を行うことができる電子機器を実現する。【解決手段】携帯端末（１）は、カバー（３０）の閉状態において開口部（３３）を介して導電体の接触が検出可能であるタッチパネル（１０）と、閉状態において開口部（３３）を介して露出しない第２センサライン（Ｒ）により、カバー（３０）に設けられた検出用導電体（３４・３５・３６）の接触を検出した場合、カバー（３０）は閉状態であると判定する閉状態判定部（２２）と、を備えている。【選択図】図１
2018085044.tif 000002
【特許請求の範囲】
【請求項１】
互いに並走し駆動信号が印加される複数の送信電極と、互いに並走し前記駆動信号に基づいて受信信号を生じる複数の受信電極とが格子状に配置され、導電体の接触を検出するタッチパネルを備えた電子機器であって、
前記タッチパネルは、カバーの開閉により、操作面が露出または遮蔽され、前記カバーの閉状態において、前記カバーに設けられた開口部を介して前記操作面の一部が露出する領域において前記導電体の接触を検出可能であり、
前記カバーにより遮蔽される前記操作面の領域において、前記カバーの閉状態において前記開口部を介して露出しない前記受信電極により、前記カバーに設けられた検出用導電体の接触を検出した場合、前記カバーは閉状態であると判定する閉状態判定部を備えていることを特徴とする電子機器。
【請求項２】
前記検出用導電体は、前記閉状態において前記開口部を介して露出しない前記送信電極と、前記閉状態において前記開口部を介して露出しない前記受信電極との交点に対応する位置に設けられていることを特徴とする請求項１に記載の電子機器。
【請求項３】
前記検出用導電体は、前記閉状態において、前記開口部を介して露出しない前記受信電極に沿って設けられたラインパターンであることを特徴とする、請求項１に記載の電子機器。
【請求項４】
互いに並走し駆動信号が印加される複数の送信電極と、互いに並走し前記駆動信号に基づいて受信信号を生じる複数の受信電極とが格子状に配置され、導電体の接触を検出するタッチパネルの操作面を、開閉により、露出させる、または遮蔽するカバーであって、
前記カバーの閉状態において、前記タッチパネルの前記操作面の一部の領域を露出させる開口部と、
前記カバーの閉状態において前記開口部を介して露出しない前記受信電極により接触が検出される検出用導電体と、を備えることを特徴とするカバー。
【請求項５】
前記検出用導電体は、前記閉状態において前記開口部を介して露出しない前記送信電極と、前記閉状態において前記開口部を介して露出しない前記受信電極との交点に対応する位置に設けられていることを特徴とする請求項４に記載のカバー。
【請求項６】
前記検出用導電体は、前記閉状態において、前記開口部を介して露出しない前記受信電極に沿って設けられたラインパターンであることを特徴とする、請求項４に記載のカバー。
【請求項７】
前記検出用導電体に電気的に接続され、前記カバーの閉状態において外側となる面に露出している外部導電部を備えていることを特徴とする請求項４から６のいずれか１項に記載のカバー。
【請求項８】
互いに並走し駆動信号が印加される複数の送信電極と、互いに並走し前記駆動信号に基づき受信信号を生じる複数の受信電極と、が格子状に配置され、導電体の接触を検出するタッチパネルを備える電子機器と、
開閉により、前記タッチパネルの操作面を露出させる、または遮蔽するカバーと、を備え、
前記タッチパネルは、前記カバーの閉状態において、前記カバーに設けられた開口部を介して前記操作面の一部が露出した領域において前記導電体の接触を検出可能であり、
前記カバーにより遮蔽される前記タッチパネルの領域において、前記カバーの閉状態において前記開口部を介して露出しない前記受信電極により、前記カバーに設けられた検出用導電体の接触を検出した場合、前記カバーは閉状態であると判定する、
ことを特徴とする電子機器システム。
【発明の詳細な説明】
【技術分野】
【０００１】
本発明は、入力デバイスとしてタッチパネルを備えた電子機器、電子機器のカバー、および、電子機器システムに関する。
【背景技術】
【０００２】
近年、タブレットＰＣやスマートフォンのようにタッチパネルを備えた携帯型情報処理装置が普及している。タブレットＰＣでは、その本体を保護するためのタブレットＰＣ専用ケースやカバーが多数販売され、タブレットＰＣ専用ケースやカバーを有効に利用する様々な提案がなされている。
【０００３】
特許文献１には、静電容量方式のタッチセンサにより、カバーの開閉を検出する携帯型情報処理システムが開示されている。この携帯型情報処理システムは、静電容量方式のタッチセンサを備えた携帯型情報処理装置と、上記タッチセンサが備えられている面を開閉可能なカバーと、を備えている。カバーには導電性の材料が形成されており、携帯型情報処理装置は、タッチセンサで上記導電性の材料を検出した場合に、カバーが閉状態であると判断する。
【先行技術文献】
【特許文献】
【０００４】
【特許文献１】特開２０１５−８７７８３号公報（２０１５年５月７日公開）
【発明の概要】
【発明が解決しようとする課題】
【０００５】
しかしながら、上述のような従来技術は、カバーが、タッチ操作可能な窓（開口部）付のカバーである場合、以下の問題がある。すなわち、カバーの開口部のエリアと導電性の材料とが、タッチセンサの同じセンサライン上に対応する位置に配置された場合、当該センサラインが導電性の材料の影響を受け、開口部のエリアでのタッチ操作において座標検出精度が低下するという問題がある。
【０００６】
本発明の一態様は、カバーの開閉状態を判定でき、かつ、カバーを閉じた状態で、座標検出精度を低下させずにカバーの開口部からタッチ操作を行うことができる電子機器を実現することを目的とする。
【課題を解決するための手段】
【０００７】
上記の課題を解決するために、本発明の一態様に係る電子機器は、互いに並走し駆動信号が印加される複数の送信電極と、互いに並走し前記駆動信号に基づいて受信信号を生じる複数の受信電極とが格子状に配置され、導電体の接触を検出するタッチパネルを備えた電子機器であって、前記タッチパネルは、カバーの開閉により、操作面が露出または遮蔽され、前記カバーの閉状態において、前記カバーに設けられた開口部を介して前記操作面の一部が露出する領域において前記導電体の接触を検出可能であり、前記カバーにより遮蔽される前記操作面の領域において、前記カバーの閉状態において前記開口部を介して露出しない前記受信電極により、前記カバーに設けられた検出用導電体の接触を検出した場合、前記カバーは閉状態であると判定する閉状態判定部を備えていることを特徴とする。
【０００８】
上記の課題を解決するために、本発明の一態様に係るカバーは、互いに並走し駆動信号が印加される複数の送信電極と、互いに並走し前記駆動信号に基づいて受信信号を生じる複数の受信電極とが格子状に配置され、導電体の接触を検出するタッチパネルの操作面を、開閉により、露出させる、または遮蔽するカバーであって、前記カバーの閉状態において、前記タッチパネルの前記操作面の一部の領域を露出させる開口部と、前記カバーの閉状態において前記開口部を介して露出しない前記受信電極により接触が検出される検出用導電体と、を備えることを特徴とする。
【０００９】
上記の課題を解決するために、本発明の一態様に係る電子機器システムは、互いに並走し駆動信号が印加される複数の送信電極と、互いに並走し前記駆動信号に基づき受信信号を生じる複数の受信電極と、が格子状に配置され、導電体の接触を検出するタッチパネルを備える電子機器と、開閉により、前記タッチパネルの操作面を露出させる、または遮蔽するカバーと、を備え、前記タッチパネルは、前記カバーの閉状態において、前記カバーに設けられた開口部を介して前記操作面の一部が露出した領域において前記導電体の接触を検出可能であり、前記カバーにより遮蔽される前記タッチパネルの領域において、前記カバーの閉状態において前記開口部を介して露出しない前記受信電極により、前記カバーに設けられた検出用導電体の接触を検出した場合、前記カバーは閉状態であると判定する、ことを特徴とする。
【発明の効果】
【００１０】
本発明の一態様によれば、カバーの開閉状態を判定でき、かつ、カバーを閉じた状態で、座標検出精度を低下させずにカバーの開口部からタッチ操作を行うことができる電子機器を実現できる効果を奏する。
【図面の簡単な説明】
【００１１】
【図１】本発明の実施形態１に係る携帯端末の概略構成を示す機能ブロック図である。
【図２】上記携帯端末の携帯端末システムの概要図である。
【図３】上記携帯端末の概略を示す模式図である。
【図４】上記携帯端末の処理の流れの一例を示すフローチャートである。
【図５】上記携帯端末の変形例の概略構成を示す機能ブロック図である。
【図６】本発明の実施形態２に係る携帯端末の概略構成を示す機能ブロック図である。
【図７】上記携帯端末の携帯端末システムの概要図である。
【図８】上記携帯端末の概略を示す模式図である。
【図９】上記携帯端末の処理の流れの一例を示すフローチャートである。
【図１０】本発明の実施形態３に係るカバーの概要図である。
【図１１】（ａ）〜（ｃ）は、上記携帯端末システムの携帯端末を回路図として模式的に示した図である。
【発明を実施するための形態】
【００１２】
以下、本発明の実施形態について、詳細に説明する。なお、説明の便宜上、各実施形態に示した部材と同一の機能を有する部材については、同一の符号を付記し、適宜その説明を省略する。
【００１３】
〔実施形態１〕
以下、本発明の実施形態１について、図１〜図４に基づいて説明する。図１は、本発明の実施形態１に係る携帯端末１の概略構成を示す機能ブロック図である。図２は、携帯端末システム１００の概要図である。図３は、携帯端末１の概略を示す模式図である。なお、図３において、理解を容易にするために、領域１１を通る第１センサラインＴおよび第２センサラインＲを破線で示している。
【００１４】
本実施形態では、一例として、携帯端末１としてタブレットＰＣについて説明する。ただし、携帯端末１としては、携帯電話機、スマートフォン、電子辞書、携帯音楽プレイヤー、携帯ゲーム機等の任意の電子機器を適用することができる。
【００１５】
（携帯端末システム）
携帯端末システム１００（電子機器システム）の概略構成について、図２に基づき以下に説明する。携帯端末システム１００は、携帯端末１（電子機器）、およびカバー３０を備えている。カバー３０は、内面に携帯端末１を挟み込むことで、携帯端末１を保護する。
【００１６】
（カバー）
カバー３０は、カバー３０の開閉により携帯端末１の操作面、すなわちタッチパネル１０の操作面を露出、または遮蔽する。カバー３０は、図２に示すように、支持部３１、開閉部３２、開口部３３、および検出用導電体３４・３５・３６（導電体）を備えている。
【００１７】
支持部３１は、携帯端末１の非操作面を固定する。開閉部３２は、携帯端末１の操作面（タッチ面）を露出、または遮蔽する。支持部３１と開閉部３２とは、連続して形成されており、辺３１ａにおいて折りたたむことにより、携帯端末１の操作面を露出、または遮蔽する。
【００１８】
開閉部３２には、開口部３３が形成されている。開口部３３により、カバー３０を閉じた状態（閉状態）であっても、開口部３３を介して携帯端末１のタッチパネル１０の一部が外部に露出する。ユーザはこの開口部３３において露出しているタッチパネル１０により簡易的な操作を行うことができる。
【００１９】
開閉部３２において、カバー３０を折りたたんだ場合に内側になる面（内面）には、検出用導電体３４・３５・３６が設けられている。検出用導電体３４・３５・３６は、カバー３０の閉状態において開口部３３を介して露出しない第２センサラインＲにより接触が検出される。検出用導電体３４・３５・３６の材料は、導電性を有するものであればよく、特に限定されない。検出用導電体３４・３５・３６の設置個所について、詳しくは後述する。
【００２０】
（携帯端末）
携帯端末１は、図１に示すように、タッチパネル１０、および制御部２０を備えている。タッチパネル１０は、携帯端末１の操作面に備えられている。タッチパネル１０は、投影型静電容量方式であり、指等の導電体の多点検出、およびライン状等のパターン形状を有する導電体の接触の検出が可能となっている。
【００２１】
タッチパネル１０は、Ｙ軸方向と平行に互いに並走する複数の第１センサラインＴ（送信電極）、および、第１センサラインＴに直交する、Ｘ軸方向と平行に互いに並走する複数の第２センサラインＲ（受信電極）を有している。第１センサラインＴと第２センサラインＲとは、マトリクス形状（格子状）に構成されている。第１センサラインＴには駆動信号が印加される。第２センサラインＲは上記駆動信号に基づき、受信信号を生じる。
【００２２】
タッチパネル１０は、カバー３０によって操作面１２が露出、または遮蔽され、カバー３０の閉状態において、カバー３０に設けられた開口部３３を介して露出した領域において導電体の接触を検出可能である。
【００２３】
制御部２０は、携帯端末１内の各種構成を統括的に制御するものであり、ＣＰＵ（CentralProcessing Unit）などのプロセッサを備える構成である。図１に示すように、制御部２０は、タッチ座標取得部２１、閉状態判定部２２、および動作切替部２３を備えている。
【００２４】
タッチ座標取得部２１は、タッチパネル１０に導電体が接触した場合、その接触した座標（タッチ座標）を取得する。具体的には、第１センサラインＴおよび第２センサラインＲに導電体が近づくと、第１センサラインＴ、および第２センサラインＲの静電容量が増加する。タッチ座標取得部２１は、第２センサラインＲが生じる受信信号に基づき、静電容量が所定閾値以上となる第１センサラインＴおよび第２センサラインＲの座標を検出することで、導電体の接触位置、および導電体のパターンを検出する。
【００２５】
閉状態判定部２２は、カバー３０により遮蔽されるタッチパネル１０の領域において、カバー３０の閉状態において開口部３３を介して露出しない第２センサラインＲにより、カバー３０に設けられた検出用導電体３４・３５・３６の接触を検出した場合、カバー３０は閉状態であると判定する。
【００２６】
具体的には、閉状態判定部２２は、カバー３０が閉状態であるか否かを判定する。閉状態判定部２２は、タッチ座標取得部２１が取得した座標が、所定の座標であった場合、カバー３０が閉状態であると判定する。また、閉状態判定部２２は、タッチ座標取得部２１が取得した座標が、所定の座標ではなかった場合、カバー３０が開状態であると判定する。ここで，所定の座標とは、カバー３０の閉状態において開口部３３を介して露出しない第１センサラインＴと、カバー３０の閉状態において開口部３３を介して露出しない第２センサラインＲとの交点である。所定の座標は、上記の範囲内で適宜設定することができ、カバー３０に合わせた座標パターンを設定することができる。閉状態判定部２２の判定について、さらに詳しくは後述する。
【００２７】
閉状態判定部２２は、カバー３０が閉状態になったと判定した場合、動作切替部２３に、携帯端末１の動作を、通常動作から、閉状態動作に切替えるように指示する。また、閉状態判定部２２は、カバー３０が開状態になったと判定した場合、動作切替部２３に、携帯端末１の動作を、閉状態動作から、通常動作に切替えるように指示する。
【００２８】
動作切替部２３は、閉状態判定部２２からの指示により、携帯端末１の動作を切り替える。通常動作および閉状態動作は適宜設定することができ、例えば、通常動作は、タッチパネル１０で検出された全てのタッチをアプリケーションに通知するものであり、閉状態動作は、開口部３３におけるタッチのみをアプリケーションに通知するものであってもよい。
【００２９】
（センサラインと検出用導電体）
第１センサラインＴ、および、第２センサラインＲ、検出用導電体３４・３５・３６の関係について、図２および図３に基づき以下に説明する。
【００３０】
カバー３０が開状態である時のタッチ操作は、タッチパネル１０全体で行うことができる。それに対して、カバー３０が閉状態である場合、通常、タッチパネル１０はカバー３０に覆われているため、タッチ操作を行うことができない。しかし、本実施形態では、カバー３０の開閉部３２に開口部３３が形成されているため、カバー３０が閉状態であっても、開口部３３においてセンサラインが露出し、タッチ操作を行うことができる。
【００３１】
カバー３０が閉状態であるときに、開口部３３において露出するセンサラインは、タッチパネル１０において開口部３３に対応する箇所（領域１１）を通る。領域１１を通るセンサラインは、閉状態時のタッチ操作に使用される。閉状態において、領域１１を通るセンサラインに、領域１１以外（例えば、点Ｄ１および点Ｄ２で示される位置）において導電体の接触があった場合、閉状態時のタッチ操作において、座標検出精度が悪くなる。
【００３２】
そこで、本実施形態では、閉状態において、領域１１を通るセンサラインに、領域１１以外において導電体の接触がないようにしている。具体的には、本実施形態では、カバー３０の閉状態の判定に、開口部３３において外部に露出しない、第１センサラインＴ、および、第２センサラインＲを用いる。つまり、閉状態の判定には、操作エリア（領域１１）と重複するセンサラインを避けている。
【００３３】
言い換えると、検出用導電体３４・３５・３６は、開閉部３２の内面において、第１センサラインＴ、および、第２センサラインＲのうち、カバー３０の閉状態において、開口部３３を介して外部に露出しない第１センサラインＴと、カバー３０の閉状態において開口部３３を介して外部に露出しない第２センサラインＲとの交点が交差する所定の座標に対応する位置に備えられている。
【００３４】
また、閉状態判定部２２は、カバー３０により遮蔽されるタッチパネル１０の領域において、カバー３０の閉状態において開口部３３を介して露出しない第１センサライン、および、カバー３０の閉状態において開口部３３を介して露出しない第２センサラインＲにより、カバー３０に設けられた検出用導電体３４・３５・３６の接触を検出した場合、カバー３０は閉状態であると判定する。
【００３５】
具体的に、図３を用いて説明する。図３に示すように、タッチパネル１０には、第１センサラインＴ０〜Ｔｎ（ｎは整数）、および第２センサラインＲ０〜Ｒｍ（ｍは整数）が備えられている。領域１１には、第１センサラインＴ２〜Ｔｎ−２の一部、および、第２センサラインＲ２〜Ｒ６の一部が位置している。したがって、第１センサラインＴ２〜Ｔｎ−２、および、第２センサラインＲ２〜Ｒ６が、閉状態時のタッチ操作に使用される。言い換えると、第１センサラインＴ０・Ｔ１・Ｔｎ−１・Ｔｎ、第２センサラインＲ０・Ｒ１、および、第２センサラインＲ７〜Ｒｍは、閉状態時のタッチ操作に使用されない。
【００３６】
そこで、検出用導電体３４・３５・３６は、カバー３０の閉状態において、開閉部３２の内面の第１センサラインＴ０・Ｔ１・Ｔｎ−１・Ｔｎのいずれかと、第２センサラインＲ０・Ｒ１および第２センサラインＲ７〜Ｒｍのいずれかと、が交差する所定の座標に対応する位置に配置される。
【００３７】
これにより、カバー３０を閉じた場合、検出用導電体３４・３５・３６とタッチパネル１０とは、第１センサラインＴ０・Ｔ１・Ｔｎ−１・Ｔｎのいずれかと、第２センサラインＲ０・Ｒ１および第２センサラインＲ７〜Ｒｍのいずれかと、が交差する所定の座標（例えば点Ｐ３４〜Ｐ３６）で、タッチパネル１０に接触する。その結果、カバー３０が閉状態であるときは、領域１１を通過するセンサラインには、導電体が接触していないため、カバー３０を閉じた状態であっても座標検出精度を低下させずに開口部３３によりタッチ操作を行うことができる。
【００３８】
検出用導電体３４・３５・３６を１点のみとした場合、大きな面積で手が触れたときに、カバー３０の閉状態を誤検出してしまう可能性がある。誤検出を防止するために、検出用導電体３４・３５・３６は３〜５点など複数点設けることが望ましい。
【００３９】
また、検出用導電体３４・３５・３６を設置する場所に、第２センサラインＲ０〜Ｒ１に対応する箇所を含まなくてもよい。例えば、検出用導電体３４・３５・３６を、カバー３０の閉状態において、開閉部３２の内面の第１センサラインＴ０・Ｔ１・Ｔｎ−１・Ｔｎのいずれかと、第２センサラインＲ７〜Ｒｍのいずれかと、が交差する所定の座標に対応する位置に検出用導電体３４・３５・３６が配置されるとしてもよい。これにより、携帯端末１をカバー３０に装着した時のずれにより、検出用導電体３４・３５・３６がタッチパネル１０に接触しない不具合が一層生じにくい構成とすることができる。
【００４０】
（開閉判定処理）
図４は、携帯端末１の処理の流れの一例を示すフローチャートである。まず、携帯端末１は、図４に示すように、携帯端末１が通常動作で起動している場合、タッチ座標取得部２１は、タッチパネル１０にタッチがあったか否かを判定する（Ｓ１０１）。上記タッチは、「導電体の接触」を意味する。タッチパネル１０にタッチがあった場合（Ｓ１０１でＹＥＳ）、タッチ座標取得部２１は、タッチ座標を取得する（Ｓ１０２）。その後、閉状態判定部２２は、タッチ座標取得部２１が取得したタッチ座標が、所定の座標か否かを判定する（Ｓ１０３：閉状態判定ステップ）。
【００４１】
取得したタッチ座標が所定の座標であった場合（Ｓ１０３でＹＥＳ）、閉状態判定部２２はカバー３０が閉状態であると判定する。また、閉状態判定部２２の指示により、動作切替部２３は、携帯端末１の動作を通常動作から閉状態動作に切替える（Ｓ１０４）。その後、Ｓ１０１の処理に戻る。
【００４２】
タッチパネル１０にタッチがなかった場合（Ｓ１０１でＮＯ）、タッチパネル１０にタッチがあるまで待機する。
【００４３】
取得したタッチ座標が所定の座標でなかった場合（Ｓ１０３でＮＯ）、閉状態判定部２２はカバー３０が開状態であると判定する。また、閉状態判定部２２は、動作切替部２３に携帯端末１の動作を切替える指示は出さず、通常動作のままとする（Ｓ１０５）。
【００４４】
なお、Ｓ１０４からＳ１０１の処理に戻る場合、すなわち、閉状態でＳ１０４またはＳ１０５の処理が行われた場合は、Ｓ１０４は、「閉状態であると判断し、携帯端末１の動作を、閉状態動作のままとする」となり、Ｓ１０５は、「開状態であると判断し、動作切替部２３は携帯端末１の動作を、閉状態動作から通常動作に切替える」となる。
【００４５】
（変形例）
実施形態１の変形例を、図５に基づき説明する。図５は、携帯端末１の変形例である携帯端末１０１の概略構成を示す機能ブロック図である。図５に示す、携帯端末１０１は、図１に示す携帯端末１と比べて、制御部２０に代えて、制御部２０１が設けられている点が異なり、その他の構成は同様である。
【００４６】
制御部２０１は、図５に示すように、カバー３０と携帯端末１０１の位置ズレを考慮して、初回開閉検出位置を検出する、初期値取得部２４を備えている。具体的には、初期値取得部２４は、カバー３０を携帯端末１０１に装着して、初めて閉じる際に、検出用導電体３４・３５・３６の座標を取得し、閉状態判定部２２で用いられる、所定の座標とする。
【００４７】
〔実施形態２〕
本発明の実施形態２について図６〜図８に基づいて説明する。図６は、本発明の実施形態２に係る携帯端末１ａの概略構成を示す機能ブロック図である。図７は、携帯端末１ａの携帯端末システム１００Ａの概要図である。図８は、携帯端末１ａの概略を示す模式図である。なお、図８において、理解を容易にするために、領域１１を通る第１センサラインＴおよび第２センサラインＲを破線で示している。
【００４８】
図７に示す、携帯端末システム１００Ａは、図２に示す携帯端末システム１００と比べて、携帯端末１、およびカバー３０に代えて、携帯端末１ａ、およびカバー３０ａが設けられている点が異なり、その他の構成は同様である。
【００４９】
（カバー）
カバー３０ａの概略構成について、図７に基づき以下に説明する。カバー３０ａは、図２に示すカバー３０と比べて、検出用導電体３４・３５・３６に代えて、検出用導電体３７・３８が設けられている点が異なり、その他の構成は同様である。
【００５０】
検出用導電体３７・３８は、開閉部３２の内面において、第２センサラインＲのうち、カバー３０ａの閉状態において、開口部３３を介して露出しない第２センサラインＲに沿って設けられたラインパターンである。検出用導電体３７・３８は線状に配置されている。検出用導電体３７・３８の太さ、およびＸ方向の長さは特に限定されない。本実施形態では、検出用導電体３７・３８のＸ方向の長さはタッチパネル１０のＸ方向の長さと同じである。
【００５１】
また、検出用導電体３７・３８を１ラインのみとした場合、通常のタッチ操作で、カバー３０ａの閉状態を誤検出してしまう可能性がある。誤検出を防止するために、検出用導電体３７・３８は複数ライン設けることが望ましい。
【００５２】
（携帯端末）
携帯端末１ａの概略構成について、図１および図６に基づき以下に説明する。図６に示す、携帯端末１ａは、携帯端末１と比べて、制御部２０に代えて、制御部２０ａが設けられている点が異なり、その他の構成は同様である。また、制御部２０ａは、制御部２０と比べて、閉状態判定部２２に代えて、閉状態判定部２２ａが設けられている点が異なり、その他の構成は同様である。
【００５３】
閉状態判定部２２ａは、カバー３０ａが閉状態であるか否かを判定する。具体的には、閉状態判定部２２ａは、タッチ座標取得部２１が取得した座標が、所定のラインパターンであった場合、カバー３０ａが閉じられていると判定する。言い換えると、閉状態判定部２２ａは、Ｘ方向の１列のセンサラインが所定の閾値を超えた場合、カバー３０ａが閉じられていると判定する。また、閉状態判定部２２ａは、タッチ座標取得部２１が取得した座標が、所定のラインパターンではない場合、カバー３０ａが開状態であると判定する。ここで、所定のラインパターンとは、カバー３０ａを閉じた状態において、カバー３０ａの開口部３３を介して外部に露出しない、第２センサラインＲに沿ったラインパターンである。所定のラインパターンは、上記の範囲内で適宜設定することができ、カバー３０ａに合わせた座標パターンを設定することができる。
【００５４】
（センサラインと検出用導電体）
第１センサラインＴ、および、第２センサラインＲ、検出用導電体３７・３８の関係について、図７および図８に基づき以下に説明する。
【００５５】
本実施形態は、上述したように、検出用導電体３７・３８は、開閉部３２の内面において、第２センサラインＲのうち、カバー３０ａの閉状態において、開口部３３を介して外部に露出しない第２センサラインＲに沿って設けられている。また、閉状態判定部２２ａは、カバー３０ａを閉じた状態において、カバー３０ａの開口部３３を介して外部に露出しない第２センサラインＲにより、当該第２センサラインＲに沿ったラインパターン（所定のラインパターン）が検出されたと判断された場合、カバー３０ａが閉状態であると判定する。
【００５６】
第１センサラインＴは、例えばＩＣ（集積回路）から駆動信号が直接印加されるので、物体が接触する等の外乱に対して第２センサラインＲに比べて信号自体が揺れにくい（振れにくい）。対して、第２センサラインＲは受け側であり、基本的に第１センサラインＴからの信号を間接的に受信しているため、外乱の影響を受けやすく、外乱に対して信号自体が揺れやすい（振れやすい）。したがって、本実施形態では、外乱を受けやすい第２センサラインＲにおいては、開口部３３から露出する第２センサラインＲ上に対応する位置に、閉状態の判定に用いる検出用導電体３７・３８を設けない。また、第１センサラインＴは、上記のように比較的外乱に強いため、カバーを閉じた状態において、開口部３３において外部に露出する第１センサラインＴに検出用導電体３７・３８が接触していても、開口部３３におけるタッチ操作において、座標検出精度に与える影響が小さい。その結果、閉状態において、座標検出精度の低下を低く抑えた状態でカバー３０ａの開口部３３によりタッチ操作を行うことができるので、カバー３０ａに設置する導電体のバリエーションを増やすことができる。本実施形態は、閉状態動作において座標精度が厳しく求められないアプリケーションに対して特に有効な手段となる。
【００５７】
具体的に、図８を用いて説明する。図８に示すように、検出用導電体３７・３８は、カバー３０ａの閉状態において、開閉部３２の内面の第２センサラインＲ０・Ｒ１・Ｒ７〜Ｒｍのいずれかに沿う位置に配置されている。これにより、カバー３０ａを閉じた場合、検出用導電体３７・３８とタッチパネル１０ａとは、第２センサラインＲ０・Ｒ１・Ｒ７〜Ｒｍのいずれかに沿ったラインパターンＰ３７・Ｐ３８で、タッチパネル１０ａに接触する。このように、影響が大きい受信ライン（第２センサラインＲ）においては、領域１１を通る第２センサラインと検出用導電体３７・３８とが重ならないようにすることで、開口部３３でのタッチ操作の座標検出精度に影響を与えることを防ぐ。
【００５８】
また、検出用導電体３７・３８を設置する場所に、第２センサラインＲ０〜Ｒ１に対応する箇所を含まないことで、携帯端末１ａをカバー３０ａに装着した時のずれにより、検出用導電体３７・３８がタッチパネル１０に接触しない不具合が一層生じにくい構成とすることができる。
【００５９】
（開閉判定処理）
図９は、携帯端末１ａの処理の流れの一例を示すフローチャートである。まず、携帯端末１ａは、図９に示すように、携帯端末１ａが通常動作で起動している場合、タッチ座標取得部２１は、タッチパネル１０にタッチがあったか否かを判定する（Ｓ２０１）。タッチパネル１０にタッチがあった場合（Ｓ２０１でＹＥＳ）、タッチ座標取得部２１は、タッチ座標を取得する（Ｓ２０２）。その後、閉状態判定部２２ａは、タッチ座標取得部２１が取得したタッチ座標が、所定のラインパターンか否かを判定する（Ｓ２０３）。
【００６０】
取得したタッチ座標が所定のラインパターンであった場合（Ｓ２０３でＹＥＳ）、閉状態判定部２２ａはカバー３０ａが閉状態であると判定する。また、閉状態判定部２２ａの指示により、動作切替部２３は、携帯端末１ａの動作を通常動作から閉状態動作に切替える（Ｓ２０４）。その後、Ｓ２０１の処理に戻る。
【００６１】
タッチパネル１０にタッチがなかった場合（Ｓ２０１でＮＯ）、タッチパネル１０にタッチがあるまで待機する。
【００６２】
取得したタッチ座標が所定のラインパターンでなかった場合（Ｓ２０３でＮＯ）、閉状態判定部２２ａはカバー３０ａが開状態であると判定する。また、閉状態判定部２２ａは、動作切替部２３に携帯端末１ａの動作を切替える指示は出さず、通常動作のままとする（Ｓ２０５）。
【００６３】
なお、Ｓ２０４からＳ２０１の処理に戻る場合、すなわち、閉状態でＳ２０４またはＳ２０５の処理が行われた場合は、Ｓ２０４は、「閉状態であると判断し、携帯端末１ａの動作を、閉状態動作のままとする」となり、Ｓ２０５は、「開状態であると判断し、動作切替部２３は携帯端末１ａの動作を、閉状態動作から通常動作に切替える」となる。
【００６４】
〔実施形態３〕
本発明の実施形態３について図１０、および図１１に基づいて説明する。図１０は、本発明の実施形態３に係る携帯端末システム１００Ｂ（図示なし）のカバー３０ｂの概要図である。図１１は、携帯端末システム１００Ｂの携帯端末１ｂ（図示なし）を回路図として模式的に示した図である。図１１の（ａ）は、カバー３０ｂが閉じられていない状態を示し、図１１の（ｂ）は、カバー３０ｂが閉じられている状態を示し、図１１の（ｃ）は、外部導電部４０と人体が接触している状態を示す。
【００６５】
図１０に示す、携帯端末システム１００Ｂは、図７に示す携帯端末システム１００Ａと比べて、携帯端末１ａおよびカバー３０ａに代えて、携帯端末１ｂおよびカバー３０ｂが設けられている点が異なり、その他の構成は同様である。なお、携帯端末１ｂは携帯端末１ａと同様の構成である。実施形態１および２では、検出用導電体３４〜３８は電気的に接地されていない状態であり、検出信号の変化量が小さくなる場合も考えられる。本実施形態は、この様な場合に検出信号の変化量を大きくする。
【００６６】
（カバー）
カバー３０ｂは、図７に示すカバー３０ａと比べて、外部導電部４０がさらに設けられている点が異なり、その他の構成は同様である。
【００６７】
外部導電部４０は、図１０に示すように、カバー３０ｂを閉じた状態でカバー３０ｂの外側となる面に露出している。外部導電部４０は、接続導電部３９を介して検出用導電体３８と電気的に接続されている。具体的には、本実施形態では、カバー３０ｂの支持部３１に開口部が形成され、上記開口部に外部導電部４０がはめ込まれている。つまり、外部導電部４０は支持部３１を貫通している。支持部３１の内面に露出している外部導電部４０は、カバー３０ｂの内面において、接続導電部３９により検出用導電体３８と電気的に接続されている。あるいは、外部導電部４０は支持部３１の外面となる面のみに形成され、接続導電部３９が支持部３１を貫通して検出用導電体３８と電気的に接続される構成としてもよい。なお、図１０では、外部導電部４０と接続されているのは、検出用導電体３８のみであるが、検出用導電体３７も同様に接続されていてもよい。
【００６８】
検出用導電体３８と、外部導電部４０とが電気的に接続されているため、カバー３０ｂをユーザが持ったときに、ユーザの人体と外部導電部４０とが接触すると、検出用導電体３８と人体とが導通する。本実施形態では、検出用導電体３８とタッチパネル１０間の結合容量の変化を大きくするために、人体を介して検出用導電体３８をＧＮＤ接続（グランド接続）する構造にする。これにより、電流が、タッチパネル１０の走査電極（第１センサラインＴ、および、第２センサラインＲ）から、検出用導電体３８へと流れ、さらに、ＧＮＤへと流れるため、タッチパネル１０の結合容量の変化量を増加させることが可能になる。
【００６９】
このように、カバー３０ｂの裏面に外部導電部４０を設置することで、検出用導電体３８と人体との導電性をあげることができ、タッチパネル１０による検出用導電体３８の検出精度を向上させることができる。
【００７０】
結合容量の変化について、図１１の（ａ）〜図１１の（ｃ）に基づき説明する。なお、結合容量Ｃ１、結合容量Ｃ２、および結合容量Ｃ３は、第１センサラインＴｎと、第２センサラインＲｍとの結合容量であり、結合容量Ｃ４は、人体と外部導電部４０との結合容量である。また、結合容量Ｃｖ２、結合容量Ｃｖ３、および結合容量Ｃｃ−ｔは、検出用導電体３８とタッチパネル１０との結合容量である。図１１の（ａ）〜図１１の（ｃ）は、第１センサラインＴｎ、および、第２センサラインＲｍを各一本抜粋した時の回路図である。
【００７１】
図１１の（ａ）は、第１センサラインＴｎと、第２センサラインＲｍとの間に結合容量が発生している状態を示している。携帯端末システム１００Ｂにおいて、外部導電部４０に何も接触していない状態で、タッチパネル１０に検出用導電体３８が近づくと、図１１の（ｂ）に示すように、検出用導電体３８とタッチパネル１０との間に、結合容量Ｃｖ２および、結合容量Ｃｃ−ｔが発生する。この状態では、検出用導電体３８自体はＧＮＤに接続されていないため、結合容量Ｃｃ‐ｔが高くなり、全体としてタッチパネル１０と検出用導電体３８との結合容量Ｋ１は低くなる。
【００７２】
それに対して、例えば、外部導電部４０に、ユーザの指が接触している状態で、タッチパネル１０に検出用導電体３８が近づくと、検出用導電体３８が人体を通して接地されるので、図１１の（ｃ）に示すように、結合容量Ｃｃ‐ｔが極力小さくなり、結合容量Ｃｖ３の変化が大きくなる。そうすることで、全体としてタッチパネル１０と検出用導電体３８との結合容量Ｋ２を大きくすることができるので、検出用導電体３８の接触信号のレベルを増加させて、タッチパネル１０による検出用導電体３８の感度を向上させることができる。
【００７３】
〔ソフトウェアによる実現例〕
携帯端末１・１ａ・１ｂの制御ブロックは、集積回路（ＩＣチップ）等に形成された論理回路（ハードウェア）によって実現してもよいし、ＣＰＵ（Central Processing Unit）を用いてソフトウェアによって実現してもよい。
【００７４】
後者の場合、携帯端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７５】
〔まとめ〕
本発明の態様１に係る電子機器（携帯端末１・１ａ・１ｂ）は、互いに並走し駆動信号が印加される複数の送信電極（第１センサラインＴ）と、互いに並走し前記駆動信号に基づいて受信信号を生じる複数の受信電極（第２センサラインＲ）とが格子状に配置され、導電体の接触を検出するタッチパネル（１０・１０ａ）を備えた電子機器であって、前記タッチパネルは、カバー（３０）の開閉により、操作面（１２）が露出または遮蔽され、前記カバーの閉状態において、前記カバーに設けられた開口部（３３）を介して前記操作面の一部が露出する領域において前記導電体の接触を検出可能であり、前記カバーにより遮蔽される前記操作面の領域において、前記カバーの閉状態において前記開口部を介して露出しない前記受信電極により、前記カバーに設けられた検出用導電体（３４・３５・３６・３７・３８）の接触を検出した場合、前記カバーは閉状態であると判定する閉状態判定部（２２）を備えている。
【００７６】
上記構成によれば、閉状態判定部により、カバーの閉状態においてカバーの開口部を介して露出しない受信電極により、カバーに設けられた検出用導電体が接触したことを検出することで、カバーの閉状態を判定することができる。
【００７７】
また、外乱の影響を受けやすい受信電極においては、カバーを閉じた状態においてカバーの開口部を介して露出する受信電極には検出用導電体が接触しない。これにより、カバーが閉状態であっても、座標検出精度を低下させずに、開口部においてタッチ操作を行うことができる。
【００７８】
本発明の態様２に係る電子機器（携帯端末１）は、上記態様１において、前記検出用導電体（３４・３５・３６）は、前記閉状態において前記開口部（３３）を介して露出しない前記送信電極（第１センサラインＴ）と、前記閉状態において前記開口部を介して露出しない前記受信電極（第２センサラインＲ）との交点に対応する位置に設けられていることが好ましい。
【００７９】
上記構成によれば、カバーを閉じた状態において、カバーの開口部を介して露出する送信電極および送信電極の双方に検出用導電体が接触しない。したがって、より座標検出精度を低下させずに、開口部においてタッチ操作を行うことができる。
【００８０】
本発明の態様３に係る電子機器（携帯端末１ａ・１ｂ）は、上記態様１において、前記検出用導電体（３７・３８）は、前記閉状態において、前記開口部（３３）を介して露出しない前記受信電極（第２センサラインＲ）に沿って設けられたラインパターンであることが好ましい。
【００８１】
上記構成によれば、送信電極は受信電極に比べ外乱に強いため、カバーの閉状態において、開口部を介して露出する送信電極に検出用導電体が接触していても、開口部におけるタッチ操作において、座標検出精度に与える影響が小さい。したがって、上記構成により、座標検出精度を低下させずに開口部によりタッチ操作を行うことができる検出用導電体のパターンのバリエーションを増やすことができる。
【００８２】
本発明の態様４に係るカバー（３０・３０ａ・３０ｂ）は、互いに並走し駆動信号が印加される複数の送信電極（第１センサラインＴ）と、互いに並走し前記駆動信号に基づいて受信信号を生じる複数の受信電極（第２センサラインＲ）とが格子状に配置され、導電体の接触を検出するタッチパネル（１０）の操作面（１２）を、開閉により、露出させる、または遮蔽するカバーであって、前記カバーの閉状態において、前記タッチパネルの前記操作面の一部の領域を露出させる開口部（３３）と、前記カバーの閉状態において前記開口部を介して露出しない前記受信電極により接触が検出される検出用導電体（３４・３５・３６・３７・３８）と、を備える。上記構成によれば、タッチパネルを備える電子機器を開閉することで、態様１と同様の効果を奏する。
【００８３】
本発明の態様５に係るカバー（３０）は、上記態様４において、前記検出用導電体（３４・３５・３６）は、前記閉状態において前記開口部（３３）を介して露出しない前記送信電極（第１センサラインＴ）と、前記閉状態において前記開口部を介して露出しない前記受信電極（第２センサラインＲ）との交点に対応する位置に設けられていることが好ましい。上記構成によれば、上記カバーによりタッチパネルを備える電子機器を開閉することで、態様２と同様の効果を奏する。
【００８４】
本発明の態様６に係るカバー（３０ａ・３０ｂ）は、上記態様４において、前記検出用導電体（３７・３８）は、前記閉状態において、前記開口部（３３）を介して露出しない前記受信電極（第２センサラインＲ）に沿って設けられたラインパターンであることが好ましい。上記構成によれば、タッチパネルを備える電子機器を開閉することで、態様３と同様の効果を奏する。
【００８５】
本発明の態様７に係るカバー（３０ｂ）は、上記態様４から６のいずれかにおいて、前記検出用導電体（３７・３８）に電気的に接続され、前記カバーの閉状態において外側となる面に露出している外部導電部（４０）を備えていることが好ましい。上記構成によれば、外部導電部が人体と接触することで、検出用導電体の導電性が向上する。
【００８６】
本発明の態様８に係る電子機器システム（１００・１００Ａ・１００Ｂ）は、互いに並走し駆動信号が印加される複数の送信電極（第１センサラインＴ）と、互いに並走し前記駆動信号に基づき受信信号を生じる複数の受信電極（第２センサラインＲ）と、が格子状に配置され、導電体の接触を検出するタッチパネル（１０）を備える電子機器（携帯端末１・１ａ・１ｂ）と、開閉により、前記タッチパネルの操作面（１２）を露出させる、または遮蔽するカバー（３０）と、を備え、前記タッチパネルは、前記カバーの閉状態において、前記カバーに設けられた開口部（３３）を介して前記操作面の一部が露出した領域において前記導電体の接触を検出可能であり、前記カバーにより遮蔽される前記タッチパネルの領域において、前記カバーの閉状態において前記開口部を介して露出しない前記受信電極により、前記カバーに設けられた検出用導電体（３４・３５・３６・３７・３８）の接触を検出した場合、前記カバーは閉状態であると判定する。上記構成によれば、態様１と同様の効果を奏する。
【００８７】
本発明の各態様に係る携帯端末は、コンピュータによって実現してもよく、この場合には、コンピュータを上記携帯端末が備える各部（ソフトウェア要素）として動作させることにより上記携帯端末をコンピュータにて実現させる携帯端末の制御プログラム、およびそれを記録したコンピュータ読み取り可能な記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１・１ａ・１ｂ  携帯端末（電子機器）、１０  タッチパネル、２２・２２ａ  閉状態判定部、３０・３０ａ・３０ｂ  カバー、３３  開口部、３４・３５・３６・３７・３８  検出用導電体、３９  接続導電部、４０  外部導電部、１００・１００Ａ・１００Ｂ  電子機器システム、１２  操作面、Ｒ  第２センサライン（受信電極）、Ｔ  第１センサライン（送信電極）
【図１】
2018085044.tif 000003
【図２】
2018085044.tif 000004
【図３】
2018085044.tif 000005
【図４】
2018085044.tif 000006
【図５】
2018085044.tif 000007
【図６】
2018085044.tif 000008
【図７】
2018085044.tif 000009
【図８】
2018085044.tif 000010
【図９】
2018085044.tif 000011
【図１０】
2018085044.tif 000012
【図１１】
2018085044.tif 000013